(57)【特許請求の範囲】
【請求項１】
複数のアームを備え、前記各アームがヒンジ装置を介して相互に回動可能にかつ前記各アーム間が任意の回動角度に保持可能に連結され、基端側のアームを取付先に固定され、先端側のアームに各種の機器が取り付けられて、各種の機器を取付先に前記各アームの長さの範囲で移動自在に設置する機器支持アームにおいて、
前記ヒンジ装置は、
前記各アームの連結端に形成される軸受と、
前記各アームの各軸受間に挿通される軸と、
隣り合う前記各アームの一方に配設されて前記軸の周囲に配置され、周方向に複数の溝又は穴を有する固定側の位置決めガイド、及び他方に配設されて当該他方のアームと前記固定側の位置決めガイドとの間に進退可能にかつばね手段を介して常態として前記固定側の位置決めガイドに対し引き離して配置され、前記固定側の位置決めガイド側の端部に前記固定側の位置決めガイドの溝又は穴に係合可能な凸状部又は凸起を有する可動側の位置決めガイドと、
前記他方のアームに回動可能に配設され、前記可動側の位置決めガイドを前記位置決めガイドに向けて押圧可能な押圧部材を有するレバーと、
前記可動側の位置決めガイド又は前記他方のアームに設けられ、前記押圧部材により前記可動側の位置決めガイドを前記固定側の位置決めガイドに押圧した状態で前記押圧部材又は前記レバーの他の一部が係合し前記レバーの動きを規制するロック部と、
を備え、
前記各アームを相互に前記固定側及び可動側の各位置決めガイドの非係合状態により前後方向若しくは左右方向又は上下方向に回動して、前記各アーム間を任意の回動角度に調整し、
前記各レバーを所定の方向に回動操作することにより、前記押圧部材で前記可動側の位置決めガイドを前記固定側の位置決めガイドに向けて押圧するとともに、前記押圧部材又は前記レバーの他の一部と前記ロック部とを係合させて、前記各アーム間を前記任意の回動角度にロックし、
前記レバーを前記所定の方向とは反対方向に回動操作することにより、前記押圧部材又は前記レバーの他の一部と前記ロック部との係合を外し、前記各アーム間のロックを解除する、
ことを特徴とする機器支持アーム。
【請求項２】
各アームの軸受は軸挿通部を有する一対の軸受部からなり、隣り合う一方のアームの一対の軸受部の間隔は他方のアームの一対の軸受部の間隔に対して小さく形成されて、前記一方のアームの一対の軸受部が前記他方のアームの一対の軸受部間に前記各軸挿通部の軸芯を合わせて嵌め込まれ、固定側の位置決めガイドは前記各軸挿通部に連通可能な軸挿通部を有し、前記一方のアームの一対の軸受部間に介装されて、軸が前記各一対の軸受部間に前記各軸挿通部及び前記固定側の位置決めガイドの軸挿通部を通じて挿通される請求項１に記載の機器支持アーム。
【請求項３】
他方のアーム内に、可動側の位置決めガイドの凸状部又は凸起側の一方の端部を支持するための一端側支持部及びその反対の他方の端部側を支持するための他端側支持部が設けられ、前記可動側の位置決めガイドは、前記一方の端部が前記一端側支持部に支持され、前記他方の端部が前記他端側支持部に支持され、前記他方の端部側と前記他端側支持部との間に前記可動側の位置決めガイドを前記一端側支持部側から前記他端側支持部側へ引張り付勢可能にコイルスプリングが介装されて、前記コイルスプリングにより、前記可動側の位置決めガイドが常態として固定側の位置決めガイドに対して引き離し方向に付勢される請求項１又は２に記載の機器支持アーム。
【請求項４】
可動側の位置決めガイドの両側面間に複合形状の開口が形成され、前記開口は前記可動側の位置決めガイドの他方の端部側から一方の端部側に向けて長い略長穴形状に形成されて、当該長穴形状の前記他方の端部側に、前記可動側の位置決めガイドを軸支するためのシャフト挿通部が設けられ、前記一方の端部側に、押圧部材を通し、当該押圧部材の押圧力を受けて前記可動側の位置決めガイドを前記固定側の位置決めガイドに向けて押圧移動するための被押圧溝、及び当該被押圧溝の終端側に前記押圧部材のロック部として形成され、前記押圧部材を嵌め込みその周囲を拘束固定するためのロック溝を有する押圧部材挿通部が設けられ、レバーは、レバー本体と、前記レバー本体の枢支側端部に前記可動側の位置決めガイドの開口両側に並列配置可能に形成されて、前記シャフト挿通部及び前記押圧部材挿通部に対応するシャフト通し部及び押圧部材通し部を有する一対のレバーベースとを備え、前記一対のレバーベースが前記可動側の位置決めガイドの開口両側に配置されて、前記各押圧部材通し部間に前記可動側の位置決めガイドの押圧部材挿通部を通じて挿通配置されるローラ軸を介してローラからなる押圧部材が装着され、これら可動側の位置決めガイド及びレバーが前記他方のアームの両側面間に配置されるとともに、前記レバー本体が前記他方のアームの内部から外部に突出されて、前記他方のアームの両側面間に配置されるシャフトが前記レバーベースの各シャフト通し部及び前記可動側の位置決めガイドのシャフト挿通部に挿通されて、前記レバーが前記可動側の位置決めガイドの他方の端部と一方の端部との間を傾動可能に配置され、前記押圧部材が前記可動側の位置決めガイドの押圧部材挿通部内に前記レバーの傾動により前記被押圧溝を押圧可能にかつ前記ロック溝に嵌合可能に配置されて、前記可動側の位置決めガイドが前記他方のアーム内で前記押圧部材の押圧により、固定側の位置決めガイドに圧接可能に配置される請求項１乃至３のいずれかに記載の機器支持アーム。
【請求項５】
複数のアームは基端側のアーム、中間のアーム、先端側のアームからなり、前記基端側のアームに、アーム全体を取付先に支持固定するための固定ベースを備える請求項１乃至４のいずれかに記載の機器支持アーム。
【請求項６】
複数のアームは基端側のアーム、中間のアーム、先端側のアームからなり、前記先端側のアームに、各種の機器を取り付けるための台座を備える請求項１乃至５のいずれかに記載の機器支持アーム。
【請求項７】
台座は先端側のアームに対して台座に設けられた一対の軸受部と先端側のアームに設けられた台座用の一対の軸受部とのヒンジ結合により回動可能に取り付けられるとともに、これらの軸受部間にこれら軸受部間の任意の回動角度を固定保持するためのロック装置が併設され、このロック装置は、前記台座又は前記先端側のアームのいずれか一方の軸受部の端部に略円弧状に形成される複数の穴又は溝と、他方の軸受部の側面で前記一方の軸受の端部に対応する所定の位置に形成されるねじ穴と、前記ねじ穴を通して前記穴又は溝に係合可能な先端部、前記先端部と前記穴又は溝との係合状態を保持するため、前記ねじ穴に締結可能なねじ部及び前記ねじ穴の周囲に当接可能なフランジ部を有するロックピンと、前記ロックピンの周囲に巻装されるコイルスプリングと、前記先端部及び基端部を外部に突出して前記ロックピンの外周を包囲し、前記フランジ部との間で前記ロックピン周囲のコイルスプリングを圧縮可能な押圧部を有するピンケースと、前記ロックピンの基端部に取り付けられ、前記ロックピンを回転操作するためのつまみとを備える請求項６に記載の機器支持アーム。
【発明の詳細な説明】
【技術分野】
【０００１】
本発明は、モニター、パソコン、テレビその他各種の機器を前後方向若しくは左右方向又は上下方向に移動自在に支持する機器支持アームに関する。
【背景技術】
【０００２】
従来より、モニター、パソコン、テレビなどの各種の機器がオフィスや家庭などで、また自動車その他の車両、飛行機、船舶などで、各種の形式の機器支持アームにより設置されて使用されている。一般に、機器支持アームは、複数のアームがヒンジ装置を介して相互に回動可能にかつ各アームが任意の回動角度に保持可能に連結されており、基端側のアームが取付先に固定され、先端側のアームに各種の機器が取り付けられて、各種の機器が取付先に各アームの長さの範囲で移動自在に設置されるようになっている。この種の機器支持アームが例えば特許文献１により提案されている。この文献１の支持アームは複数のアームが回動抵抗を有する関節部（ヒンジ装置）を介して回動可能に接続され、この支持アームの先端に情報モニターが枢支されて、情報モニターを所望の方向に向けて保持するようになっている。
【先行技術文献】
【特許文献】
【０００３】
【特許文献１】特開平９−３２６９８０号公報
【発明の概要】
【発明が解決しようとする課題】
【０００４】
しかしながら、上記従来の機器支持アームでは、複数のアーム間の各関節部材が皿ばねや座金などを用いて各アーム間に摩擦抵抗作用を付与するヒンジ機構により構成され、この関節部材の摩擦抵抗作用のみでモニターその他各種の機器の荷重と各アームの荷重を受けているため、関節部材の有する各アーム間の角度を保持する能力に対して荷重が大きく、この支持アームを使用しているうちに、モニターその他各種の機器を支持する能力は次第に低下して、機器は徐々に下がり、ユーザの要求する所定の位置に長く、安定的に保持することができない、という問題がある。また、この種の機器支持アームは例えば車両などで使用される場合、振動を受けやすいため、機器は下がりやすく、ユーザが使用するのに最適な位置に長く、安定的に支持することが難しい、という問題がある。
【０００５】
本発明は、このような従来の問題を解決するものであり、モニターその他各種の機器を、ユーザの要求する所定の位置に長く、安定的に保持することのできる優れた機器支持アームを提供すること、を目的とする。
【課題を解決するための手段】
【０００６】
上記目的を達成するために、本発明は、複数のアームを備え、前記各アームがヒンジ装置を介して相互に回動可能にかつ前記各アーム間が任意の回動角度に保持可能に連結され、基端側のアームを取付先に固定され、先端側のアームに各種の機器が取り付けられて、各種の機器を取付先に前記各アームの長さの範囲で移動自在に設置する機器支持アームにおいて、前記ヒンジ装置は、前記各アームの連結端に形成される軸受と、前記各アームの各軸受間に挿通される軸と、隣り合う前記各アームの一方に配設されて前記軸の周囲に配置され、周方向に複数の溝又は穴を有する固定側の位置決めガイド、及び他方に配設されて当該他方のアームと前記固定側の位置決めガイドとの間に進退可能にかつばね手段を介して常態として前記固定側の位置決めガイドに対し引き離して配置され、前記固定側の位置決めガイド側の端部に前記固定側の位置決めガイドの溝又は穴に係合可能な凸状部又は凸起を有する可動側の位置決めガイドと、前記他方のアームに回動可能に配設され、前記可動側の位置決めガイドを前記位置決めガイドに向けて押圧可能な押圧部材を有するレバーと、前記可動側の位置決めガイド又は前記他方のアームに設けられ、前記押圧部材により前記可動側の位置決めガイドを前記固定側の位置決めガイドに押圧した状態で前記押圧部材又は前記レバーの他の一部が係合し前記レバーの動きを規制するロック部とを備え、  前記各アームを相互に前記固定側及び可動側の各位置決めガイドの非係合状態により前後方向若しくは左右方向又は上下方向に回動して、前記各アーム間を任意の回動角度に調整し、前記各レバーを所定の方向に回動操作することにより、前記押圧部材で前記可動側の位置決めガイドを前記固定側の位置決めガイドに向けて押圧するとともに、前記押圧部材又は前記レバーの他の一部と前記ロック部とを係合させて、前記各アーム間を前記任意の回動角度にロックし、前記レバーを前記所定の方向とは反対方向に回動操作することにより、前記押圧部材又は前記レバーの他の一部と前記ロック部との係合を外し、前記各アーム間のロックを解除する、ことを要旨とする。
本発明はまた、各部に次のような構成を備えることが好ましい。
（１）各アームの軸受は軸挿通部を有する一対の軸受部からなり、隣り合う一方のアームの一対の軸受部の間隔は他方のアームの一対の軸受部の間隔に対して小さく形成されて、前記一方のアームの一対の軸受部が前記他方のアームの一対の軸受部間に前記各軸挿通部の軸芯を合わせて嵌め込まれ、固定側の位置決めガイドは前記各軸挿通部に連通可能な軸挿通部を有し、前記一方のアームの一対の軸受部間に介装されて、軸が前記各一対の軸受部間に前記各軸挿通部及び前記固定側の位置決めガイドの軸挿通部を通じて挿通される。
（２）他方のアーム内に、可動側の位置決めガイドの凸状部又は凸起側の一方の端部を支持するための一端側支持部及びその反対の他方の端部側を支持するための他端側支持部が設けられ、前記可動側の位置決めガイドは、前記一方の端部が前記一端側支持部に支持され、前記他方の端部が前記他端側支持部に支持され、前記他方の端部側と前記他端側支持部との間に前記可動側の位置決めガイドを前記一端側支持部側から前記他端側支持部側へ引張り付勢可能にコイルスプリングが介装されて、前記コイルスプリングにより、前記可動側の位置決めガイドが常態として固定側の位置決めガイドに対して引き離し方向に付勢される。
（３）可動側の位置決めガイドの両側面間に複合形状の開口が形成され、前記開口は前記可動側の位置決めガイドの他方の端部側から一方の端部側に向けて長い略長穴形状に形成されて、当該長穴形状の前記他方の端部側に、前記可動側の位置決めガイドを軸支するためのシャフト挿通部が設けられ、前記一方の端部側に、押圧部材を通し、当該押圧部材の押圧力を受けて前記可動側の位置決めガイドを前記固定側の位置決めガイドに向けて押圧移動するための被押圧溝、及び当該被押圧溝の終端側に前記押圧部材のロック部として形成され、前記押圧部材を嵌め込みその周囲を拘束固定するためのロック溝を有する押圧部材挿通部が設けられ、レバーは、レバー本体と、前記レバー本体の枢支側端部に前記可動側の位置決めガイドの開口両側に並列配置可能に形成されて、前記シャフト挿通部及び前記押圧部材挿通部に対応するシャフト通し部及び押圧部材通し部を有する一対のレバーベースとを備え、前記一対のレバーベースが前記可動側の位置決めガイドの開口両側に配置されて、前記各押圧部材通し部間に前記可動側の位置決めガイドの押圧部材挿通部を通じて挿通配置されるローラ軸を介してローラからなる押圧部材が装着され、これら可動側の位置決めガイド及びレバーが前記他方のアームの両側面間に配置されるとともに、前記レバー本体が前記他方のアームの内部から外部に突出されて、前記他方のアームの両側面間に配置されるシャフトが前記レバーベースの各シャフト通し部及び前記可動側の位置決めガイドのシャフト挿通部に挿通されて、前記レバーが前記可動側の位置決めガイドの他方の端部と一方の端部との間を傾動可能に配置され、前記押圧部材が前記可動側の位置決めガイドの押圧部材挿通部内に前記レバーの傾動により前記被押圧溝を押圧可能にかつ前記ロック溝に嵌合可能に配置されて、前記可動側の位置決めガイドが前記他方のアーム内で前記押圧部材の押圧により、固定側の位置決めガイドに圧接可能に配置される。
（４）複数のアームは基端側のアーム、中間のアーム、先端側のアームからなり、前記基端側のアームに、アーム全体を取付先に支持固定するための固定ベースを備える。
（５）複数のアームは基端側のアーム、中間のアーム、先端側のアームからなり、前記先端側のアームに、各種の機器を取り付けるための台座を備える。
（６）台座は先端側のアームに対して台座に設けられた一対の軸受部と先端側のアームに設けられた台座用の一対の軸受部とのヒンジ結合により回動可能に取り付けられるとともに、これらの軸受部間にこれら軸受部間の任意の回動角度を固定保持するためのロック装置が併設され、このロック装置は、前記台座又は前記先端側のアームのいずれか一方の軸受部の端部に略円弧状に形成される複数の穴又は溝と、他方の軸受部の側面で前記一方の軸受の端部に対応する所定の位置に形成されるねじ穴と、前記ねじ穴を通して前記穴又は溝に係合可能な先端部、前記先端部と前記穴又は溝との係合状態を保持するため、前記ねじ穴に締結可能なねじ部及び前記ねじ穴の周囲に当接可能なフランジ部を有するロックピンと、前記ロックピンの周囲に巻装されるコイルスプリングと、前記先端部及び基端部を外部に突出して前記ロックピンの外周を包囲し、前記フランジ部との間で前記ロックピン周囲のコイルスプリングを圧縮可能な押圧部を有するピンケースと、前記ロックピンの基端部に取り付けられ、前記ロックピンを回転操作するためのつまみとを備える。
【発明の効果】
【０００７】
本発明の機器支持アームでは、ヒンジ装置の上記の構成により、各アームを相互に、複数の溝又は穴を有する固定側の位置決めガイドと凸状部又は凸起を有する可動側の位置決めガイドを介して前後方向若しくは左右方向又は上下方向の任意の回動角度に調整し、レバーを所定の方向に回動操作することにより、押圧部材で可動側の位置決めガイドの凸状部又は凸起を固定側の位置決めガイドの溝又は穴に向けて押圧し、押圧部材又はレバーの他の一部とロック部とを係合させて、各アーム間を任意の回動角度にロックするようにしたので、各アームを任意の角度に容易に調整し、強固に固定することができ、モニターその他の各種の機器を、ユーザの要求する所定の位置に長く、安定的に保持することができる。また、レバーを所定の方向とは反対方向に回動操作することにより、押圧部材又はレバーの他の一部とロック部との係合を外し、各アーム間のロックを解除することができるので、各アーム間の角度の変更調整も容易に行うことができる。
【図面の簡単な説明】
【０００８】
【図１】本発明の一実施の形態における機器支持アームの平面断面図
【図２】同機器支持アームの側面断面図
【図３】同機器支持アームの一端部側の断面図
【発明を実施するための形態】
【０００９】
次に、この発明を実施するための形態について図を用いて説明する。なお、この実施の形態では、機器支持アームを、特にモニターを乗用車やトラックなどの車両内に設置するための車載用のモニターアームとして例示し、以下の説明では、この機器支持アームをモニターアームと称する。
【００１０】
図１及び図２に示すように、モニターアーム１は複数のアーム１１、１２、１３を備え、各アーム１１、１２、１３がヒンジ装置２、２を介して相互に水平方向（左右方向）に回動可能にかつ各アーム１１、１２、１３間が任意の回動角度に保持可能に連結される。そして、基端側のアーム１１に、アーム１１〜１３全体を取付先の車両室内（のインパネなど）に支持固定するための固定ベース１４が設けられ、先端側のアーム１３に、モニターを取り付けるための台座プレート１５が設けられる。
【００１１】
複数のアーム１１、１２、１３は、この場合、３つのアームで構成され、基端側のアーム１１と、中間のアーム１２と、先端側のアーム１３とを備える。
【００１２】
基端側のアーム１１は全体が鋼材により断面略コ字形のブロック形状に形成されて、上面１１１、下面１１２、両側面１１３、１１３及び後面１１４を有し、前面が開口され、中間のアーム１２との連結端となる上面１１１及び下面１１２に軸受２１が形成される。この場合、前面側の両側面１１３、１１３間は略円弧状の凹形状に、その後面側は略円弧状の凸形状に形成される。上面１１１及び下面１１２はそれぞれ両側面１１３、１１３に対して前方に略半円形状に突出され、その中心に軸挿通部２１０、２１０が貫通形成されて、一対の軸受部２１１、２１１になっている。後面１１４は略矩形状の凹部が形成され、その四隅にねじ穴１１５が設けられる。
【００１３】
中間のアーム１２は全体が鋼材により所定の長さを有する長い略角筒形状に形成されて、上面１２１、下面１２２、及び両側面１２３、１２３を有し、前後端面が先端側、基端側の各アーム１３、１１が嵌合可能に開口され、先端側、基端側の各アーム１３、１１との連結端となる上面１２１及び下面１２２の前後両端部にそれぞれ軸受２２、２２が形成される。この場合、中間のアーム１２は上部側のアーム部材と下部側のアーム部材とからなり、上下に２分割可能に組み合わされて結合される。上下の各面１２１、１２２は細長い矩形状に形成され、その前後両端部がそれぞれ両側面１２３、１２３の両端部よりも前後方向に略円弧状に突出され、その中心に軸挿通部２２０、２２０が貫通形成されて、一対の軸受部２２１，２２１、２２１，２２１になっている。この中間のアーム１２の場合、前後の各一対の軸受部２２１，２２１、２２１，２２１は各軸受部２２１，２２１間、２２１，２２１間に先端側、基端側の各アーム１３、１１の一対の軸受部２１１，２１１、２３１，２３１が嵌合可能に、上下の各面１２１、１２２間の間隔が先端側、基端側の各アーム１３、１１の上下各面間の間隔よりも少し大きくなっている（言い換えれば、先端側、基端側の各アーム１３、１１の一対の軸受部２１１，２１１、２３１，２３１の間隔は中間のアーム１２の前後の各一対の軸受部２２１，２２１、２２１，２２１の間隔に対して少し小さくなっている。）。また、上面１２１の後側半面の中央に後述する後側のレバー６を通すためのスリット１２４が前後方向に向けて形成され、下面１２２の前側半面の中央に後述する前側のレバー６を通すためのスリット１２５が前後方向に向けて形成される。両側面１２３、１２３は細長い矩形状に形成され、この両側面１２３、１２３には、図３に示すように、上下の各面１２１、１２２のスリット１２４、１２５の前後方向中央に対応する所定の位置にそれぞれ、後述する前後の各レバー６、６を軸支するためのシャフト挿通部１２６，１２６、１２６，１２６が形成される。また、このアーム１２の内部には、前後の各一対の軸受部２２１，２２１、２２１，２２１よりも内方で両側面１２３、１２３の各シャフト挿通部１２６，１２６、１２６，１２６の前後所定の位置にそれぞれ、後述する前後の各可動側の位置決めガイド４、４の一方の端部側を支持する一端側支持部２４、２４及びその反対の他方の端部側を支持する他端側支持部２５、２５が設けられる。この場合、一端側支持部２４、２４はそれぞれ全体が中間のアーム１２内に嵌合可能なフレーム構造になっていて、その略中央に可動側の位置決めガイド４、４の一方の端部をスライド可能に保持可能なフレーム２４１、２４１を有し、これらの支持部２４、２４はそれぞれ中間のアーム１２内において両端部側の所定の位置に一対の軸受部２２１、２２１に近接してねじにより取り付けられる。他端側支持部２５、２５はそれぞれ全体が中間のアーム１２内に嵌合可能なプレート形状になっていて、その略中央に可動側の位置決めガイド４、４の他方の端部をスライド可能に挿通支持するための挿通穴２５０、２５０を有し、これらの支持部２５、２５はそれぞれ中間のアーム１２内において中央側の所定の位置にねじにより取り付けられる。
【００１４】
先端側のアーム１３は全体が鋼材により断面略コ字形のブロック形状に形成されて、上面１３１、下面１３２、両側面１３３、１３３、前面１３４及び前面１３４から前方に突出する一対の側面１３５を有し、後面が開口され、中間のアーム１２との連結端となる上面１３１及び下面１３２の後端部に軸受２３が形成される。この場合、後面側の両側面１３３、１３３間は略円弧状の凹形状に形成される。上面１３１及び下面１３２はそれぞれ両側面１３３、１３３に対して後方に略半円形状に突出され、その中心に軸挿通部２３０、２３０が貫通形成されて、一対の軸受部２３１、２３１になっている。前面１３４の前側一対の側面１３５、１３５はそれぞれ、前面１３４の左右両側から前方に向けて円弧状に突出され、その中心に軸挿通部１３６、１３６が貫通形成されて、台座１５を取り付けるための一対の軸受部１３７、１３７になっている。
【００１５】
ヒンジ装置２、２はそれぞれ、各アーム１１、１２、１３の連結端に形成される軸受２１、２２、２３と、各アーム１１、１２、１３の各軸受２１、２２、２３間に挿通される軸２１２、２２２と、隣り合う各アームの一方に配設されて軸２１２、２２２の周囲に配置され、周方向に複数の溝３０１を有する固定側の位置決めガイド３、及び他方に配設されて当該他方のアームと固定側の位置決めガイド３との間に進退可能にかつばね手段を介して常態として固定側の位置決めガイド３に対し引き離して配置され、固定側の位置決めガイド３側の端部に固定側の位置決めガイド３の溝３０１に係合可能な凸状部４０１を有する可動側の位置決めガイド４と、他方のアームに回動可能に配設され、可動側の位置決めガイド４を固定側の位置決めガイド３に向けて押圧可能な押圧部材５１を有するレバー６と、可動側の位置決めガイド４に設けられ、押圧部材５１により可動側の位置決めガイド４を固定側の位置決めガイド３に押圧した状態で押圧部材５１が係合しレバー６の動きを規制するロック部５２とを備える。
【００１６】
この場合、基端側、中間、先端側の各アーム１１、１２、１３の軸受２１、２２、２３はそれぞれ、既述のとおり、軸挿通部を有する一対の軸受部からなり、隣り合う一方のアーム、この場合、基端側、先端側の各アーム１１、１３の一対の軸受部２１１，２１１、２３１，２３１の間隔は他方のアーム、この場合、中間のアーム１２の前後の各一対の軸受部２２１，２２１、２２１，２２１の間隔に対して小さく形成され、基端側、先端側の各アーム１１、１３の一対の軸受部２１１，２１１、２３１，２３１がそれぞれ、中間のアーム１２の前後の各一対の軸受部２２１，２２１間、２２１，２２１間に嵌め込まれる。そして、これらの軸受部２１１，２１１間、２３１，２３１間にそれぞれ、固定側の位置決めガイド３、３が１つずつ取り付けられる。固定側の位置決めガイド３、３はそれぞれ、鋼材により基端側、先端側の各アーム１１、１３の一対の軸受部２１１，２１１間、２３１，２３１間に嵌合可能なブロック形状に形成されて、上下の各面３１、３２は略平面状に、外周面３３は一部が各アーム１１、１３の両側面間の略円弧状の凹形状に嵌合可能な略円弧状に、残部が各アーム１１、１３の上下の各面の半円形状に沿って複数の溝（縦溝）３０１からなるギア形状になっており、上下の各面３１、３２の中心で各面３１、３２間に各アーム１１、１３の各軸挿通部２１０，２１０間、２３０，２３０間に連通可能な軸挿通部３４が設けられる。かかる固定側の位置決めガイド３、３はそれぞれ、基端側、先端側の各アーム１１、１３の一対の軸受部２１１，２１１間、２３１，２３１間に嵌め込み固定されて介装される。そして、これらの基端側、先端側の各アーム１１、１３の両側に各軸挿通部と同芯的にワッシャ２６，２６、２６，２６が配置され、さらに、中間のアーム１２の前後の各軸受部２２１，２２１、２２１，２２１の両側に各軸挿通部と同芯的にワッシャ２６，２６、２６，２６、皿ばね座金２７，２７、２７，２７が順次配置されて、軸２１２、２２２が各一対の軸受部２２１，２２１、２１１，２１１間、２２１，２２１、２３１，２３１間に各軸挿通部２２０，２２０、２１０，２１０及び固定側の位置決めガイド３の軸挿通部３４、各軸挿通部２２０，２２０、２３０，２３０及び固定側の位置決めガイド３の軸挿通部３４に挿通される。このようにして固定側の位置決めガイド３、３はそれぞれ、各アーム１１、１３の一対の軸受部２１１，２１１間、２３１，２３１間の軸２１２、２２２の周囲に配置される。
【００１７】
これに対して他方のアーム内、この場合、中間のアーム１２内には、既述のとおり、前後の各一対の軸受部２２１，２２１、２２１，２２１よりも内方で両側面１２３、１２３の前後に形成された各シャフト挿通部１２６、１２６の前後所定の位置にそれぞれ、可動側の位置決めガイド４の一方の端部側を支持する一端側支持部２４、２４及びその反対の他方の端部側を支持する他端側支持部２５、２５が設けられる。そして、これらの一端側支持部２４、２４及び他端側支持部２５、２５にそれぞれ、可動側の位置決めガイド４、４が１つずつ取り付けられる。これらの可動側の位置決めガイド４、４はそれぞれ、鋼材により上部又は下部に凹凸形状を有する横に長い略矩形のプレート形状に形成される。
【００１８】
後側の可動側の位置決めガイド４Ｒの場合、上面４１の略中央より少し前端側（後側の固定側の位置決めガイド３側の端部とは反対の端部側）に係止突起４１１が形成される。下面４２は平面状に形成される。後端面４３（固定側の位置決めガイド３に向けられる一方の端面）は固定側の位置決めガイド３の各溝３０１に係合可能な縦方向に延びる凸状部４０１が、この場合、３つ形成される。前端面４４（その反対の他方の端面）は平面状に形成される。左右両側面４５、４５は平面状に形成され、この両側面４５、４５間に切り欠き４５５と複合形状の開口４５０が形成される。切り欠き４５５は前端側から略中央付近まで略Ｕ字形に（この場合、略Ｕ字形の上部は前端側に、下部は中央付近に向けて横向きの略Ｕ字形に）形成され、この切り欠き４５５内に前端部から略中央付近に向けて延びる突状部４５６が設けられる。この突状部４５６にコイルスプリング５３が装着される。開口４５０は可動側の位置決めガイド４の前端面４４側（後側の固定側の位置決めガイド３側の端面とは反対の端面側）から後端面４３側（後側の固定側の位置決めガイド３側の端面側）に向けて長い略長穴形状に形成されて、当該長穴形状の前部側に、可動側の位置決めガイド４を軸支するためのシャフト挿通部４５１が設けられ、後部側に、押圧部材５１を通し、当該押圧部材５１の押圧力を受けて後側の可動側の位置決めガイド４を後側の固定側の位置決めガイド３に向けて押圧移動するための被押圧溝４５３、及び当該被押圧溝４５３の下方終端側に押圧部材５１のロック部５２として形成され、押圧部材５１を嵌め込みその周囲を拘束固定するためのロック溝４５４を有する押圧部材挿通部４５２が設けられる。そして、この可動側の位置決めガイド４に押圧部材５１がレバー６とともに取り付けられる。押圧部材５１はローラ５１０からなる。レバー６は、図３に示すように、レバー本体６１と、レバー本体６１の枢支側端部に後側の可動側の位置決めガイド４の開口４５０両側に並列配置可能に形成されて、可動側の位置決めガイド４のシャフト挿通部４５１及び押圧部材挿通部４５２に対応するシャフト通し部６２１及び押圧部材通し部６２２を有する一対のレバーベース６２、６２とを一体的に備える。この場合、レバー６は細長いレバー本体形状部と上部が矩形で下部が横に大小２つの円を合わせてなる複合形状のレバーベース形状部を有する２つのレバー基材がレバー本体形状部を合わせてねじにより締結されて形成される。また、各レバーベース６２、６２の上部間に作動ピン６３が挿通される。このようにしてレバー６は、一対のレバーベース６２、６２が可動側の位置決めガイド４の開口４５０両側に上方から跨って配置され、各押圧部材通し部６２２、６２２間に可動側の位置決めガイド４の押圧部材挿通部４５２を通じて挿通配置されるローラ軸５１１を介して、押圧部材５１のローラ５１０が装着され、押圧部材５１がレバー６とともに可動側の位置決めガイド４に一体的に組み立てられる。
【００１９】
前側の可動側の位置決めガイド４Ｆの場合、後側の可動側の位置決めガイド４Ｒと同じ形状、構造を有するが、後側の可動側の位置決めガイド４Ｒに対して１８０°反転された向きに取り付けられるため、各部の向きが後側の可動側の位置決めガイド４Ｒとは正反対となる。すなわち、下面４１の略中央より少し後端側（前側の固定側の位置決めガイド３側の端部とは反対の端部側）に係止突起４１１が形成される。上面４２は平面状に形成される。前端面４３（前側の固定側の位置決めガイド３に向けられる一方の端面）は固定側の位置決めガイド３の各溝３０１に係合可能な縦方向に延びる凸状部４０１が、この場合、３つ形成される。後端面４４（その反対の他方の端面）は平面状に形成される。左右両側面４５、４５は平面状に形成され、この両側面４５、４５間に切り欠き４５５と複合形状の開口４５０が形成される。切り欠き４５５は後端側から略中央付近まで略Ｕ字形に（この場合、略Ｕ字形の上部は後端側に、下部は中央付近に向けて横向きの略Ｕ字形に）形成され、この切り欠き４５５内に後端部から略中央付近に向けて延びる突状部４５６が設けられる。この突状部４５６にコイルスプリング５３が装着される。開口４５０は可動側の位置決めガイド４の後端面４４側（前側の固定側の位置決めガイド３側の端面とは反対の端面側）から前端面４３側（前側の固定側の位置決めガイド３側の端面側）に向けて長い略長穴形状に形成されて、当該長穴形状の後部側に、可動側の位置決めガイド４を軸支するためのシャフト挿通部４５１が設けられ、前部側に、押圧部材５１を通し、当該押圧部材５１の押圧力を受けて前側の可動側の位置決めガイド４を前側の固定側の位置決めガイド３に向けて押圧移動するための被押圧溝４５３、及び当該被押圧溝４５３の上方終端側に押圧部材５１のロック部５２として形成され、押圧部材５１を嵌め込みその周囲を拘束固定するためのロック溝４５４を有する押圧部材挿通部４５２が設けられる。そして、この可動側の位置決めガイド４に押圧部材５１がレバー６とともに取り付けられる。押圧部材５１はローラ５１０からなる。レバー６は、レバー本体６１と、レバー本体６１の枢支側端部に前側の可動側の位置決めガイド４Ｆの開口４５０両側に並列配置可能に形成されて、可動側の位置決めガイド４のシャフト挿通部４５１及び押圧部材挿通部４５２に対応するシャフト通し部６２１及び押圧部材通し部６２２を有する一対のレバーベース６２、６２とを一体的に備える。この場合、レバー６は細長いレバー本体形状部と下部が矩形で上部が横に大小２つの円を合わせてなる複合形状のレバーベース形状部を有する２つのレバー基材がレバー本体形状部を合わせてねじにより締結されて形成される。また、各レバーベース５２の下部間に作動ピン６３が挿通される。このようにしてレバー６は、一対のレバーベース６２、６２が可動側の位置決めガイド４の開口４５０両側に下方から跨って配置され、各押圧部材通し部６２２、６２２間に可動側の位置決めガイド４の押圧部材挿通部４５２を通じて挿通配置されるローラ軸５１１を介して、押圧部材５１のローラ５１０が装着され、押圧部材５１がレバー６とともに可動側の位置決めガイド４に一体的に組み立てられ���。
【００２０】
このようにして可動側の位置決めガイド４Ｒ、４Ｆはそれぞれ、中間のアーム１２内で、凸状部４０１側の一方の端部が一端側支持部２４のフレーム２４１に挿通されて支持され、他方の端部が他端側支持部２５の挿通穴２５０に挿通されて支持され、可動側の位置決めガイド４の他方の端部側に切り欠かれて形成された突状部４５６にコイルスプリング５３が装着されて、このコイルスプリング５３が切り欠き４５５の端部と他端側支持部２５との間で圧縮され、各可動側の位置決めガイド４が各固定側の位置決めガイド３に対して引き離し方向に引張り付勢される。また、これら可動側の位置決めガイド４、４の取り付けとともに、後側のレバー６のレバー本体６１が中間のアーム１２の内部から上面のスリット１２４を通じて外部に突出され、前側のレバー６のレバー本体６１が中間のアーム１２の内部から下面のスリット１２５を通じて外部に突出される。そして、２本のシャフト７、７がそれぞれ、中間のアーム１２の両側面１２３、１２３の前後のシャフト挿通部１２６，１２６間、１２６，１２６間（図３参照）にそれぞれ前後の一対の各レバーベース６２，６２、６２，６２の各シャフト通し部６２１，６２１間、６２１，６２１間及び各可動側の位置決めガイド４のシャフト挿通部４５１、４５１を通じて挿通され、各レバー６、６が中間のアーム１２に各可動側の位置決めガイド４、４の他方の端部と一方の端部との間を傾動可能に軸支される。このようにして各レバー６、６と各押圧部材５１、５１が各可動側の位置決めガイド４、４に作動連結され、各レバー６、６を各固定側の位置決めガイド３、３方向へ傾動することにより、各可動側の位置決めガイド４、４の押圧部材挿通部４５２、４５２内で各押圧部材５１、５１が被押圧溝４５３、４５３を押圧して各ロック溝４５４、４５４に嵌まり込み、各可動側の位置決めガイド４、４を各固定側の位置決めガイド３、３に圧接してこの状態を固定保持し、また、各レバー６、６を反対方向に傾動することにより、各レバー６、６の作動ピン６３、６３と各可動側の位置決めガイド４、４の係止突起４１１、４１１が係合し、各可動側の位置決めガイド４、４を引き戻して各固定側の位置決めガイド５、５から引き離すようになっている。
【００２１】
固定ベース１４は全体が鋼材により略矩形のプレート形状に形成されて、基端側のアーム１１の後面側の各ねじ穴１１５に対応する四隅にねじ挿通穴１４０が設けられ、その周囲にさらに固定ベース１４を車両室内に取り付けるための複数のねじ挿通穴１４１が設けられる。この固定ベース１４は基端側のアーム１１の後面１１４に固定ベース１４の各ねじ挿通穴１４０からねじが挿通されてアーム１１の各ねじ穴１１５に締結されて取り付けられる。
【００２２】
台座プレート１５は全体が鋼材により所定の大きさを有する略矩形の平板状に形成され、その中央に凹部１５１が形成され、その中心にボルト挿通穴１５２が穿たれる。また、この台座プレート１５の後部には取付ブラケット１６が設けられる。この取付ブラケット１６は鋼材により断面コ字形に形成され、前面１６１に台座プレート１５を取り付けるための取付穴１６０が穿たれ、両側面１６２、１６２がそれぞれ前面１６１の左右両側に先端側のアーム１３の前側の一対の軸受部１３７、１３７が嵌合可能な間隔で前面１６１の左右両側から後方に向けて略台形状又は略三角形状に突出され、それぞれの突出端の略中央に軸挿通部１６３、１６３が穿たれて、一対の軸受部１６４、１６４になっている。このようにして取付ブラケット１６の前面１６１に取付穴１６０に同芯的にワッシャが介在配置されて台座プレート１５が重ねられ、これら取付ブラケットの取付穴１６０と台座プレート１５のボルト挿通穴１５２が合わせられた状態で、台座プレート１５上にボルト挿通穴に同芯的にワッシャ、皿ばね座金、平座金が順次配置されて、これらの穴１６０、１５２にボルト１５３が台座プレート１５の前面から通され、取付ブラケット１６の前面１６１の背面側でナット１５４に螺合されて、取付ブラケット１６の前面１６１に台座プレート１５が回転可能に取り付けられる。そして、この台座１５の取付ブラケット１６が先端側のアーム１３にヒンジ結合される。この場合、取付ブラケット１６の一対の軸受部１６４、１６４間に、先端側のアーム１３の前側の一対の軸受部１３７、１３７が配置され、取付ブラケット１６の各軸受部１６４、１６４に先端側のアーム１３の各軸受部１３７、１３７が合せられる。この状態から、先端側のアーム１３の各軸受部１３７、１３７の各軸挿通部１３６、１３６間に円筒状のスペーサ１６５が配置され、このスペーサ１６５上にトーションコイルスプリング１６６が所定方向に巻装される。そして、先端側のアーム１３の一対の軸受部１３７、１３７の両側に各軸挿通部１３６、１３６と同芯的にワッシャ１６８が配置され、取付ブラケット１６の各軸受部１６４、１６４の片側一方に軸挿通部１６３と同芯的に平座金１６９、皿ばね座金１７０が順次配置され、片側他方に軸挿通部１６３と同芯的に平座金１６９が配置され、取付ブラケット１６及び先端側のアーム１３の各軸受部１６４，１６４、１３７，１３７間に、ピン１７１が、この取付ブラケット１６の片側一方から、各軸挿通部１６３，１６３、１３６，１３６及びスペーサ１６５を通して挿通され、かしめられる。このようにして先端側のアーム１３の一対の軸受部１３７、１３７間にスペーサ１６５が介装され、このスペーサ１６５上のトーションコイルスプリング１６６が、一方の係止端を取付ブラケット１６の前面１６１に係止（固定）され、他方の係止端を先端側のアーム１３の前面１３４に係止（固定）されて、取付ブラケット１６が先端側アーム１３に対して開く方向に所定のばね力で付勢される。そして、ピン１７１が取付ブラケット１６及び先端側のアーム１３の各軸受部１６４，１６４、１３７，１３７間に各軸受部１６４，１６４、１３７，１３７及びスペーサ１６５を通して挿通され、かしめられたことで、ワッシャ１６８、平座金１６９及び皿ばね座金１７０を介して、取付ブラケット１６の各軸受部１６４、１６４、先端側のアーム１３の各軸受部１３７、１３７がともに締め付けられる。このようにしてトーションコイルスプリング１６６により取付ブラケット１６を先端側のアーム１３に対して開く方向に付勢する力と、ワッシャ１６８、平座金１６９及び皿ばね座金１７０により取付ブラケットの一対の軸受部１６４、１６４と先端側のアーム１３の一対の軸受部１３７、１３７との間に発生する摩擦抵抗作用との合力により、取付ブラケット１６と先端側のアーム１３との間が上下方向任意の角度に保持され、これにより台座プレート１５が上下方向任意の角度に調整可能となる。
【００２３】
また、この台座プレート１５の取り付けでは、取付ブラケット１６の一対の軸受部１６４、１６４と先端側のアーム１３の一対の軸受部１３７、１３７との間にこれら一対の軸受部間の任意の回動角度をより確実に固定保持するためにロック装置８が併せて設けられる。このロック装置８は、取付ブラケット１６又は先端側のアーム１３のいずれか一方、この場合、先端側のアーム１３の一対の軸受部１３７、１３７の各端部に略円弧状に形成される複数の穴８１と、他方の、この場合、取付ブラケット１６の一対の軸受部１６４、１６４の各側面で先端側のアーム１３の一方の軸受部１３７の端部に対応する所定の位置に形成されるねじ穴８２と、ねじ穴８２を通して穴８１に係合可能な先端部８３１、先端部８３１と穴８１との係合状態を保持するため、ねじ穴８２に締結可能なねじ部８３２及びねじ穴８２の周囲に当接可能なフランジ部８３３を有するロックピン８３と、ロックピン８３の周囲に巻装されるコイルスプリング８４と、ロックピン８３の先端部８３１及び基端部８３４を外部に突出してロックピン８３の外周面を包囲し、フランジ部８３３との間でロックピン８３周囲のコイルスプリング８４を圧縮可能な押圧段部８５０を有するピンケース８５と、ロックピン８３の基端部８３４に取り付けられ、ロックピン８３を回転操作するためのつまみ８６とを備える。このようにしてロックピン８３の先端部８３１を取付ブラケット１６のねじ穴８２に差し込み、ねじ部８３２をねじ穴８２に締め込むと、ロックピン８３の先端部８３１が先端側のアーム１３の一方の軸受部１３７の穴８１に係合し、このロックピン８３のクサビ作用により、台座プレート１５の取付ブラケット１６と先端側のアーム１３との間の任意の回動角度を固定するようになっている。
【００２４】
このようにしてモニターアーム１は基端側のアーム１３が固定ベース１４により車両室内のインストルメンタルパネルなどに固定され、先端側のアーム１３に取り付けられた台座プレート５にモニターが取り付けられて、モニターが車両室内に各アーム１１、１２、１３の長さの範囲で移動（調整）可能に設置される。
【００２５】
そして、このモニターアーム１により、モニターの位置を調整する場合、各アーム１１、１２、１３を相互に固定側及び可動側の各位置決めガイド３、４の非係合状態により前後方向若しくは左右方向に回動し、各アーム１１、１２、１３間を任意の回動角度に調整することにより行う。この場合、基端側のアーム１１と中間のアーム１２との間では、基端側のアーム１１に中間のアーム１２が軸２１２を介して前後方向若しくは左右方向に回動可能に結合されており、基端側のアーム１１に配設され、軸２１２の周囲に配置された固定側の位置決めガイド３に対して中間のアーム１２の後側に配設された可動側の位置決めガイド４が離間されているので、基端側のアーム１１に対して中間のアーム１２を右方向又は左方向に回動すると、この中間のアーム１２の動きとともに可動側の位置決めガイド４が固定側の位置決めガイド３の複数の溝３０１の回りを接触することなしに移動し、中間のアーム１２の回動を停止すると、可動側の位置決めガイド４の凸状部４０１が固定側の位置決めガイド３の一部の溝３０１に、中間アーム１２が回動を停止された位置で対向される。このようにして基端側のアーム１１に対して中間アーム１２を任意の方向に回動して任意の回動角度を設定する。同様に、中間のアーム１２と先端側のアーム１３との間では、中間のアーム１２に先端側のアーム１３が軸２２２を介して前後方向若しくは左右方向に回動可能に結合されており、先端側のアーム１３に配設され、軸２２２の周囲に配置された固定側の位置決めガイド３に対して中間のアーム１２の前側に配設された可動側の位置決めガイド４が離間されているので、中間のアーム１２に対して先端側のアーム１３を右方向又は左方向に回動すると、この先端側のアーム１３の動きとともに固定側の位置決めガイド３が可動側の位置決めガイド４の凸状部４０１の回りを接触することなしに移動し、先端側のアーム１３の回動を停止すると、可動側の位置決めガイド４の凸状部４０１が固定側の位置決めガイド３の一部の溝３０１に、先端側のアーム１３が回動を停止された位置で対向される。このようにして中間のアーム１２に対して先端側のアーム１３を任意の方向に回動して任意の回動角度を設定する。このような各アーム１１、１２、１３間の角度調整により、アーム１１、１２、１３全体を固定ベース１４から正面に向けて直状に、右方向又は左方向に斜めに向けて直状に、右方向又は左方向に直角に向けて直状に延ばしたり、また、各アーム１１、１２、１３を固定ベース１４から正面に向けてジクザク状若しくはＺ形に、右方向又は左方向に斜めに向けてジクザク状若しくはＺ形に、右方向又は左方向に直角に向けてジクザク状若しくはＺ形に折り曲げたり、さらに各アーム１１、１２、１３を固定ベース１４上に折り畳んだりすることができる。
【００２６】
このようにして台座プレート１５の位置（つまり、モニターの位置）が決まったら、前後の各レバー６、６を所定の方向に回動操作することにより、各押圧部材５１、５１で各可動側の位置決めガイド４、４を各固定側の位置決めガイド３、３に向けて押圧するとともに、各押圧部材５１、５１と各ロック部５２、５２とを係合させて、各アーム１１、１２、１３間を任意の回動角度にロックする。この場合、中間のアーム１２の後側上部のレバー６を後方に向けて押し、傾動させると、このレバー６の下部に取り付けられた押圧部材５１が後方に向けて回動され、後側の可動側の位置決めガイド４の被押圧溝４５３を後方に向けて押圧し、後側の可動側の位置決めガイド４全体を後側の固定側の位置決めガイド３に向けて押圧移動し、可動側の位置めガイド４の凸状部４０１と固定側の位置決めガイド３の一部の溝３０１が強く係合される。そして、このレバー６を少し強く押して押し切ると、押圧部材５１が被押圧溝４５３とロック溝４５４との間の凸部を乗り越えてロック溝４５４に嵌合され、押圧部材５１はこのロック溝４５４の拘束により固定される。これにより、基端側のアーム１１に対して中間のアーム１２が任意の回動角度にロックされる。同様に、中間のアーム１２の前側下部のレバー６を前方に向けて引き、傾動させると、このレバー６の上部に取り付けられた押圧部材５１が前方に向けて回動され、前側の可動側の位置決めガイド４の被押圧溝４５３を前方に向けて押圧し、前側の可動側の位置決めガイド４全体を前側の固定側の位置決めガイド３に向けて押圧移動し、可動側の位置めガイド４の凸状部４０１と固定側の位置決めガイド３の一部の溝３０１が強く係合される。そして、このレバー６を少し強く引いて引き切ると、押圧部材５１が被押圧溝４５３とロック溝４５４との間の凸部を乗り越えてロック溝４５４に嵌合され、押圧部材５１はこのロック溝４５４の拘束により固定される。これにより、中間のアーム１２に対して先端側のアーム１３が任意の回動角度にロックされる。
【００２７】
また、このモニターアーム１の場合、台座プレート１５が取付ブラケット１６により先端側のアーム１３に取り付けられ、既述のとおり、トーションコイルスプリング１６６により取付ブラケット１６の一対の軸受部１６４、１６４を先端側のアーム１３の一対の軸受部１３７、１３７に対して開く方向に付勢する力と、ワッシャー１６８、平座金１６９、皿ばね座金１７０により取付ブラケット１６の一対の軸受部１６４、１６４と先端側のアーム１３の一対の軸受部１３７、１３７との間に発生する摩擦抵抗作用との合力により、台座プレート１５の取付ブラケット１６と先端側のアーム１３との間が上下方向任意の角度に保持されるので、台座プレート１５の（正面の）向きは上下方向任意の角度に調整可能であり、当該任意の角度に保持される。さらに、このモニターアーム１には、ロック装置８が併設されており、このロック装置８により台座プレート１５の向きをより確実に固定することができる。この場合、ロックピン８３の先端部８３１を取付ブラケット１６のねじ穴８２に先端側のアーム１３の穴８１に向けて差し込み、つまみ８６を回して、ロックピン８３のねじ部８３２を取付ブラケット１６のねじ穴８２に締め込むと、ロックピン８３の先端部８３１が先端側のアーム１３の一方の軸受部１３７の穴８１に係合し、このロックピン８３のクサビ作用により、台座プレート１５の取付ブラケット１６と先端側のアーム１３との間の任意の回動角度が完全に固定され、台座プレート１５の（正面の）向きが確実に固定される。また、この場合、ロックピン８３周囲のコイルスプリング８４がロックピン８３のフランジ部８３３とピンケース８５の押圧段部８５０との間で圧縮されて、このコイルスプリング８４によりロックピン８３が取付ブラケット１６のねじ穴８２に向けて押圧付勢されるので、このモニターアーム１に振動が加えられても、この振動によるロック装置８（ロックピン８３）の緩みが確実に防止される。
【００２８】
このようにしてモニターは、このモニターアーム１により、ユーザの所望の位置に長く、安定的に維持される。また、モニターの設置位置を変える場合は、各レバー６、６を所定の方向とは反対方向に傾動操作して、各押圧部材５１と各ロック部５２との係合を外すことにより、各コイルスプリング５３の作用により、各アーム１１、１２、１３間のロックが自動解除されるので、あらためて、各アーム１１、１２、１３を相互に固定側及び可動側の各位置決めガイド３、４を介して前後方向若しくは左右方向に回動し、任意の回動角度に調整した後、既述のとおり、各レバー６、６を所定の方向に傾動操作することにより、各アーム１１、１２、１３間を任意の回動角度にロックすればよい。
【００２９】
以上説明したように、このモニターアーム１では、基端側のアーム１１、中間のアーム１２、先端側のアーム１３からなり、これらのアーム１１、１２、１３を連結するヒンジ装置２、２がそれぞれ、各アーム１１、１２、１３の連結端に形成される軸受２１、２２、２３と、各アーム１１、１２、１３の軸受２１、２２間、２２、２３間に挿通される軸２１２、２２２と、隣り合う各アームの一方、この場合、基端側、先端側の各アーム１１、１３に配設されて軸２１２、２２２の周囲に配置され、周方向に複数の溝３０１を有する固定側の位置決めガイド３、及び他方、この場合、中間のアーム１２の後側及び前側にそれぞれ配設されて中間のアーム１２と各固定側の位置決めガイド３、３との間に進退可能にかつばね手段を介して常態として固定側の位置決めガイド３、３に対して引き離して配置され、固定側の位置決めガイド３、３側の端部に固定側の位置決めガイド３、３の溝３０１、３０１に係合可能な凸状部４０１、４０１を有する可動側の位置決めガイド４、４と、中間のアーム１２に回動可能に配設され、可動側の位置決めガイド４、４を固定側の位置決めガイド３、３に向けて押圧可能な押圧部材５１、５１を有するレバー６、６と、可動側の位置決めガイド４、４に設けられ、押圧部材５１、５１により可動側の位置決めガイド４、４を固定側の位置決めガイド３、３に押圧した状態で押圧部材５１、５１が係合しレバー６、６の動きを規制するロック部５２、５２とを備え、各アーム１１、１２、１３を相互に固定側及び可動側の各位置決めガイド３、４の非係合状態により前後方向若しくは左右方向に回動して、各アーム１１、１２、１３間を任意の回動角度に調整し、レバー６、６を所定の方向に傾動操作することにより、押圧部材５１、５１で可動側の位置決めガイド４、４を固定側の位置決めガイド３、３に向けて押圧し、押圧部材５１、５１とロック部５２、５２とを係合させて、各アーム１１、１２、１３間を任意の回動角度にロックするようにしたので、各アーム１１、１２、１３を任意の角度に調整し、強固に固定することができ、振動を受けやすい車室内でも、モニターを、ユーザの要求する所定の位置に長く、安定的に保持することができる。また、レバー６、６を所定の方向とは反対方向に回動操作することにより、押圧部材５１、５１とロック部５２、５２との係合を外し、各コイルスプリング５３の作用により、各アーム１１、１２、１３間のロックを自動解除することができるので、各アーム１１、１２、１３間の角度の変更調整も容易に行うことができる。
【００３０】
また、このモニターアーム１では、さらに次のような効果を奏する。
（１）基端側、中間、先端側の各アーム１１、１２、１３の軸受２１、２２、２３はそれぞれ、軸挿通部を有する一対の軸受部からなり、基端側のアーム１１の一対の軸受部２１１，２１１間の間隔、先端側のアーム１３の一対の軸受部２３１，２３１間の間隔はそれぞれ中間のアーム１２の後側の一対の軸受部２２１，２２１間、前側の一対の軸受部２２１，２２１間の各間隔に対して小さく形成されて、基端側のアーム１１の一対の軸受部２１１，２１１、先端側のアーム１３の一対の軸受部２３１，２３１がそれぞれ中間のアーム１２の後側の一対の軸受部２２１，２２１間、前側の一対の軸受部２２１，２２１間に相互の各軸挿通部の軸芯を合わせて嵌め込まれるようになっている。これに対して、固定側の位置決めガイド３、３はそれぞれ、基端側、先端側の各アーム１１、１３の一対の軸受部の各軸挿通部に連通可能な軸挿通部３４、３４を有し、基端側のアーム１１の一対の軸受部２１１，２１１間、先端側のアーム１３の一対の軸受部２３１，２３１間に介装されて、軸２１２、２２２がそれぞれ、各一対の軸受部２２１，２２１、２１１，２１１間に軸挿通部３４を通じて、各一対の軸受部２２１，２２１、２３１，２３１間に軸挿通部３４を通じて挿通されるので、基端側、中間、先端側の各アーム１１、１２、１３の連結とともに固定側の位置決めガイド３を簡易に組み込むことができる。
（２）中間のアーム１２内の後側及び前側のそれぞれに、前後の可動側の位置決めガイド４、４の凸状部４０１、４０１側の一方の端部を支持するための一端側支持部２４、２４及びその反対の他方の端部側を支持するための他端側支持部２５、２５が設けられ、中間のアーム１２内に前後の各可動側の位置決めガイド４、４が取り付けられるようになっている。これに対して、前後の可動側の位置決めガイド４、４はそれぞれ一方の端部が一端側支持部２４、２４のフレーム２４１、２４１に挿通支持され、他方の端部が他端側支持部２５、２５の挿通穴２５０、２５０に挿通支持され、他方の端部側と他端側支持部２５、２５との間に可動側の位置決めガイド４、４を一端側支持部２４、２４側から他端側支持部２５、２５側へ引張り付勢可能にコイルスプリング５３、５３が介装されて、これらコイルスプリング５３、５３により、可動側の位置決めガイド４、４が常態として固定側の位置決めガイド３、３に対して引き離し方向に付勢されるので、中間のアーム１２内に可動側の位置決めガイド４、４を簡易に組み込むことができ、可動側の位置決めガイド４、４を常態として固定側の位置決めガイド３、３に対して引き離し方向に確実に引張り付勢することができる。
（３）前後の各可動側の位置決めガイド４、４はそれぞれ、両側面４５，４５間、４５，４５間に複合形状の開口４５０、４５０が形成され、この開口４５０、４５０は各可動側の位置決めガイド４、４の他方の端部側から一方の端部側に向けて長い略長穴形状に形成されて、当該長穴形状の他方の端部側に、可動側の位置決めガイド４、４を軸支するためのシャフト挿通部４５１、４５１が設けられ、一方の端部側に、押圧部材５１、５１を通し、当該押圧部材５１、５１の押圧力を受けて可動側の位置決めガイド４、４を固定側の位置決めガイド３、３に向けて押圧移動するための被押圧溝４５３、４５３、及び当該被押圧溝４５３、４５３の終端側に押圧部材のロック部５２、５２として形成され、押圧部材５１、５１を嵌め込みその周囲を拘束固定するためのロック溝４５４、４５４を有する押圧部材挿通部４５２、４５２が設けられている。これに対して、レバー６、６はそれぞれ、レバー本体６１、６１と、レバー本体６１、６１の枢支側端部に可動側の位置決めガイド４、４の開口４５０、４５０両側に並列配置可能に形成されて、シャフト挿通部４５１、４５１及び押圧部材挿通部４５２、４５２に対応するシャフト通し部６２１、６２１及び押圧部材通し部６２２、６２２を有する一対のレバーベース６２，６２、６２，６２とを備え、一対のレバーベース６２，６２、６２，６２が可動側の位置決めガイド４、４の開口４５０、４５０両側に配置されて、押圧部材挿通部４５２，４５２間、４５２，４５２間に可動側の位置決めガイド４、４の押圧部材通し部６２２、６２２を通じて挿通配置されるローラ軸５１１、５１１を介してローラ５１０、５１０からなる押圧部材５１、５１が装着される。このようにしてこれら可動側の位置決めガイド４、４及びレバー６、６が中間のアーム１２の両側面１２３、１２３間に配置されるとともに、レバー本体６１、６１が中間のアーム１２の内部から外部に突出されて、中間のアーム１２の両側面１２３、１２３間に配置されるシャフト７、７が各一対のレバーベース６２，６２、６２，６２の各シャフト通し部６２１，６２１間、６２１，６２１間及び可動側の位置決めガイド４、４のシャフト挿通部４５１、４５１に挿通されて、レバー６、６が可動側の位置決めガイド４、４の他方の端部と一方の端部との間を傾動可能に配置され、押圧部材５１、５１が可動側の位置決めガイド４、４の押圧部材挿通部４５２、４５２内にレバー６、６の傾動により被押圧溝４５３、４５３を押圧可能にかつロック溝４５４、４５４に嵌合可能に配置され、可動側の位置決めガイド４、４が中間のアーム１２内で押圧部材５１、５１の押圧により、固定側の位置決めガイド３、３に圧接可能に配置されるので、可動側の位置決めガイド４、４とレバー６、６を簡易に作動連結し、レバー６、６の操作により、可動側の位置決めガイド４、４を固定側の位置決めガイド３、３に向けて簡単かつ確実に押圧させて、その押圧位置で可動側の位置決めガイド４、４を確実に固定することができる。
（４）台座プレート１５は先端側のアーム１３に対して台座プレート１５に設けられた一対の軸受部１６４、１６４と先端側のアーム１３に設けられた台座用の一対の軸受部１３７、１３７とのヒンジ結合により回動可能に取り付けられるとともに、これらの軸受部間にこれら軸受部間の任意の回動角度を固定保持するためのロック装置８が併せて設けられる。このロック装置８は、先端側のアーム１３の各軸受部１３７の端部に略円弧状に形成される複数の穴８１と、台座プレート１５の各軸受部１６４の側面で先端側のアーム１３の各軸受１３７の端部に対応する所定の位置に形成されるねじ穴８２と、ねじ穴８２を通して穴８１に係合可能な先端部８３１、先端部８３１と穴８１との係合状態を保持するため、ねじ穴８２に締結可能なねじ部８３２及びねじ穴８２の周囲に当接可能なフランジ部８３３を有するロックピン８３と、ロックピン８３の周囲に巻装されるコイルスプリング８４と、先端部８３１及び基端部８３４を外部に突出してロックピン８３の外周面を包囲し、フランジ部８３３との間でロックピン８３周囲のコイルスプリング８４を圧縮可能な押圧段部８５０を有するピンケース８５と、ロックピン８３の基端部８３４に取り付けられ、ロックピン８３を回転操作するためのつまみ８６とにより構成され、ロックピン８３の先端部８３１を台座プレート１５の一方の軸受部１６４のねじ穴８２に差し込み、つまみ８６を回して、ロックピン８３のねじ部８３２をねじ穴８２に締め込み固定することにより、ロックピン８３の先端部８３１を先端側のアーム１３の一方の軸受部１３７の穴８１に係合させるようになっている。このロック装置８のロックピン８３によるクサビ作用によって、台座プレート１５の取付ブラケット１６と先端側のアーム１３との間の任意の回動角度を完全に固定することができ、これにより、台座プレート１５の取付ブラケット１６と先端側のアーム１３との間を上下方向任意の角度に調整した後の、台座レート１５の（正面の）向きを確実に固定することができる。また、この場合、ロックピン８３の周囲のコイルスプリング８４がロックピン８３のフランジ部８３３とピンケース８５の押圧段部８５０との間で圧縮されて、ロックピン８３がねじ穴８２に向けて押圧付勢されるので、このモニターアーム１に振動が加えられても、この振動によるロックピン８３の緩みを確実に防止することができ、台座プレート１５の（正面の）向きは確実に固定される。
【００３１】
なお、この実施の形態では、ヒンジ装置２において、固定側の位置決めガイド３の端部に溝３０１を設け、可動側の位置決めガイド４の端部に凸状部４０１を設けたが、これに代えて、固定側の位置決めガイド３の端部に穴を設け、可動側の位置決めガイド４の端部に当該穴に係合可能な凸起を設けてもよく、このようにしても上記実施の形態と同様の作用効果を得ることができる。また、このヒンジ装置２では、押圧部材５１の可動側の位置決めガイド４に対する押圧状態を固定するため、可動側の位置決めガイド４に押圧部材５１を嵌合し拘束可能なロック溝４５４を設けたが、このようなロック形状部を中間のアーム１２側に形成してもよい。また、この押圧部材５１の可動側の位置決めガイド４に対する押圧状態を固定するために、レバー６の一部が係合し、ロック可能なロック部を可動側の位置決めガイド４又はアーム１２に設けてもよい。このようにしても上記実施の形態と同様の作用効果を得ることができる。
【００３２】
また、この実施の形態では、機器支持アーム１を基端側のアーム１１、中間のアーム１２、先端側のアーム１３により構成したが、基端側のアーム及び先端側のアームの２アームにより構成してもよく、また、中間アームを複数のアームにより構成してもよく、この場合でも、各アーム間をヒンジ装置２により連結することにより、上記実施の形態と同様の作用効果を得ることができる。また、この機器支持アーム１の場合、各アーム１１、１２、１３をヒンジ装置２、２により水平方向（左右方向）に回動可能に連結したが、ヒンジ装置２、２により、各アーム１１、１２、１３を垂直方向（上下方向）に回動可能に連結して、前後方向若しくは上下方向に回動可能にしてもよく、このようにしても上記実施の形態と同様の作用効果を得ることができる。
【００３３】
さらに、この実施の形態では、ロック装置８を設置するため、先端側のアーム１３の一対の軸受部１３７、１３７の端部に略円弧状に複数の穴８１を形成し、台座プレート１５の取付ブラケット１６の一対の軸受部１６４、１６４の側面で先端側のアーム１３の各軸受部１３７、１３７の端部に対応する所定の位置にねじ穴８２を形成したが、取付ブラケット１６の一対の軸受部１６４、１６４は先端側のアーム１３の一対の軸受部１３７、１３７内に配置してもよく、この場合は、取付ブラケット１６の各軸受部１６４、１６４の端部に略円弧状に複数の穴を形成し、先端側のアーム１３の各軸受部１３７、１３７の両側面で取付ブラケット１６の各軸受部１６４、１６４の端部に対応する所定の位置にねじ穴を形成してもよい。また、複数の穴８１は複数の溝に代えてもよい。このようにしても上記実施の形態と同様の作用効果を得ることができる。
【００３４】
またさらに、この実施の形態では、機器支持アーム１を、特にモニターを乗用車やトラックなどの車両内に設置するための車載用のモニターアームとして例示したが、この機器支持アーム１は、モニターの他、パソコンやテレビなどの各種の機器をオフィスや家庭などに設置したり、また自動車その他の車両の他、飛行機や船舶などに設置したりする場合にも、同様に使用することができ、上記実施の形態と同様の作用効果を得ることができる。
【符号の説明】
【００３５】
１  モニターアーム（機器支持アーム）
１１  基端側のアーム
１１１  上面
１１２  下面
１１３  側面
１１４  後面
１１５  ねじ穴
１２  中間のアーム
１２１  上面
１２２  下面
１２３  側面
１２４  スリット
１２５  スリット
１２６  シャフト挿通部
１３  先端側のアーム
１３１  上面
１３２  下面
１３３  側面
１３４  前面
１３５  側面
１３６  軸挿通部
１３７  軸受部
１４  固定ベース
１４０  ねじ挿通穴
１４１  ねじ挿通穴
１５  台座プレート
１５１  凹部
１５２  ボルト挿通穴
１５３  ボルト
１５４  ナット
１５５  ワッシャ
１６  取付ブラケット
１６０  取付穴
１６１  前面
１６２  側面
１６３  軸挿通部
１６４  軸受部
１６５  スペーサ
１６６  トーションスプリング
１６８  ワッシャ
１６９  平座金
１７０  皿ばね座金
１７１  ピン
２  ヒンジ装置
２１  軸受
２１０  軸挿通部
２１１  軸受部
２１２  軸
２２  軸受
２２０  軸挿通部
２２１  軸受部
２２２  軸
２３  軸受
２３０  軸挿通部
２３１  軸受部
２４  一端側支持部
２４１  フレーム
２５  他端側支持部
２５０  挿通穴
２６  ワッシャ
２７  皿ばね座金
３  固定側の位置決めガイド
３０１  溝
３１  上面
３２  下面
３３  外周面
３４  軸挿通部
４  可動側の位置決めガイド
４０１  凸状部
４Ｆ  前側の可動側の位置決めガイド
４Ｒ  後側の可動側の位置決めガイド
４１  上面（下面）
４１１  係止突起
４２  下面（上面）
４３  後端面（前端面）
４４  前端面（後端面）
４５  側面
４５０  開口
４５１  シャフト挿通部
４５２  押圧部材挿通部
４５３  被押圧溝
４５４  ロック溝
４５５  切り欠き
４５６  突状部
５１  押圧部材
５１０  ローラ
５１１  ローラ軸
５２  ロック部
５３  コイルスプリング
６  レバー
６１  レバー本体
６２  レバーベース
６２１  シャフト通し部
６２２  押圧部材通し部
６３  作動ピン
７  シャフト
８  ロック装置
８１  穴
８２  ねじ穴
８３  ロックピン
８３１  先端部
８３２  ねじ部
８３３  フランジ部
８３４  基端部
８４  コイルスプリング
８５  ピンケース
８５０  押圧段部
８６  つまみ
【図１】
0005302272.tif 000002
【図２】
0005302272.tif 000003
【図３】
0005302272.tif 000004